(57)【要約】      （修正有）【課題】ビデオカメラに補助レンズを装着して撮影する際に、その補助レンズの前部に遮光キャップを取り付けるだけで、常にレンズの画角外からの有害光線を確実に遮断するビデオカメラ用遮光キャップ及び遮光キャップセットと遮光キャップ取付構造を提供する。【解決手段】遮光キャップ２０はビデオカメラ用補助レンズの前部に着脱可能であり、円筒リング状周壁部２０ｂと、その前端面に設けられた長方形の開口２１を有する円形遮光板部２０とが一体に形成されている。その長方形の開口２１の横ｘと縦ｙの長さの比と大きさを、ビデオカメラで使用される受光部の横と縦の長さの比が１６：９の撮像素子で１６：９画面を撮影するための比と大きさ、該撮像素子で４：３画面を撮影するための比と大きさ、受光部の横と縦の長さの比が４：３の撮像素子で１６：９画面を撮影するための比と大きさ、該撮像素子で４：３画面を撮影するための比と大きさのいずれかとする。【選択図】図１
0003144010.tif 000002
【実用新案登録請求の範囲】
【請求項１】
ビデオカメラ用補助レンズの前部に着脱可能な遮光キャップであって、
円筒リング状周壁部と、その前端面に設けられた長方形の開口を有する円形遮光板部とが一体に形成され、前記長方形の開口の横と縦の長さの比と大きさが、
ビデオカメラで使用される受光部の横と縦の長さの比が１６:９の撮像素子で１６：９画面を撮影するための比と大きさ、該撮像素子で４：３画面を撮影するための比と大きさ、受光部の横と縦の長さの比が４:３の撮像素子で１６：９画面を撮影するための比と大きさ、該撮像素子で４：３画面を撮影するための比と大きさのいずれかであることを特徴とするビデオカメラ用遮光キャップ。
【請求項２】
前記円筒リング状周壁部の内周面に、前記補助レンズの先端側外周面に形成されたフランジ部の凹凸面に係合可能な突条からなる回り止め部材と、前記フランジ部を挿通してその後端面に係止爪により係止可能な弾性を有する抜け止め部材とを設けたことを特徴とするビデオカメラ用遮光キャップ。
【請求項３】
ビデオカメラ用補助レンズの前部に着脱可能な４種類の遮光キャップからなるビデオカメラ用遮光キャップセットであって、
前記４種類の遮光キャップが、それぞれ円筒リング状周壁部と、その前端面に設けられた長方形の開口を有する円形遮光板部とが一体に形成され、前記長方形の開口の横と縦の長さの比と大きさが、
ビデオカメラで使用される受光部の横と縦の長さの比が１６:９の撮像素子で１６：９画面を撮影するための比と大きさを有する第１の遮光キャップ、該撮像素子で４：３画面を撮影するための比と大きさを有する第２の遮光キャップ、受光部の横と縦の長さの比が４:３の撮像素子で１６：９画面を撮影像するための比と大きさを有する第３の遮光キャップ、および該撮像素子で４：３画面を撮影するための比と大きさを有する第４の遮光キャップであることを特徴とするビデオカメラ用遮光キャップセット。
【請求項４】
前記各遮光キャップの前記円筒リング状周壁部の内周面に、前記補助レンズの先端側外周面に形成されたフランジ部の凹凸面に係合可能な突条からなる回り止め部材と、前記フランジ部を挿通してその後端面に係止爪により係止可能な弾性を有する抜け止め部材とを設けたことを特徴とするビデオカメラ用遮光キャップセット。
【請求項５】
ビデオカメラ用補助レンズの前面に、請求項２に記載のビデオカメラ用遮光キャップを装着するための遮光キャップ取付構造であって、
前記補助レンズの先端側外周面に平歯車状の凹凸面を形成したフランジ部を突設し、
前記遮光キャップの前記円筒リング状周壁部の内周面に設けた前記回り止め部材を前記フランジ部の凹凸面に係合可させ、前記抜け止め部材を前記フランジ部を挿通させてその後端面に前記係止爪を係止させるように構成した  ことを特徴とする遮光キャップ取付構造。
【考案の詳細な説明】
【技術分野】
【０００１】
この考案は、ビデオカメラに補助レンズを装着して撮影する際にレンズの画角外からの有害光線を遮断するために、その補助レンズの前部に装着するビデオカメラ用遮光キャップ、およびビデオカメラにおける撮像素子のサイズに係わらずワイドとノーマルの撮影画面に対応できるようにするためのビデオカメラ用遮光キャップセットと、その遮光キャップを補助レンズに取り付けるための遮光キャップ取付構造に関する。
なおこの明細書中で、ビデオカメラとは、デジタルビデオカメラもアナログビデオカメラも含み、動画撮影を主とするビデオカメラも静止画撮影を主とするビデオカメラも含む。また、補助レンズは、望遠レンズ、広角レンズ、近接撮影用（接写）レンズなどを総称し、コンバージョンレンズとも言う。撮像素子は、ＣＣＤ撮像素子やＣＭＯＳ撮像素子など受光面の各部の受光量を電気信号に変換する撮像デバイスである。
【背景技術】
【０００２】
近年は種々のビデオカメラが使用されている。従来の画面の横と縦の長さの比が４：３のノーマル画面で撮影するビデオカメラは受光部の横と縦の長さの比が４:３の撮像素子を使用しており、ハイビジョンテレビ用の画面の横と縦の長さの比が１６：９のワイド画面で撮影するハイビジョン・ビデオカメラは、受光部の横と縦の長さの比が１６:９の撮像素子（１６:９画面用撮像素子という）を使用している。そして、そのハイビジョン・ビデオカメラは一般に、従来の横と縦の長さの比が４：３のノーマル画面で撮影する機能も備えている。また、受光部の横と縦の長さの比が４:３の撮像素子（４:３画面用撮像素子という）を使用しているビデオカメラでも、画面の横と縦の長さの比が１６：９のワイド画面で撮影する機能も備えているものもある。
【０００３】
一方、昨今のＣＣＤ撮像素子やＣＭＯＳ撮像素子を用いたビデオカメラでは、カメラの小形化や生産コストの面からカメラレンズのズーム域に自ら制約があり、特に広角側は前玉の口径が著しく大きくなるため、画角を充分大きくとることができなかった。そのため、カメラレンズのズーム域以外の広角域あるいは望遠域を必要とする場合には、レンズ前面に広角又は望遠等の補助レンズ（コンバージョンレンズ）を装着して、焦点距離を広角側又は望遠側に変換して撮影する必要がある。
【０００４】
このようにビデオカメラに望遠レンズ、広角レンズ、近接撮影用（接写）レンズなどの補助レンズ（コンバージョンレンズ）を装着して撮影する場合、画面にフレアやゴーストを発生させるレンズ画角外からの有害光線を遮光するため、補助レンズの前端部にレンズフードを取り付ける。レンズフードの種類には、その形状によって丸型、角型、花形の３種類がある。
【考案の開示】
【考案が解決しようとする課題】
【０００５】
しかしながら、そのレンズフードは、カメラ側の撮像素子が１６:９画面用か４:３画面用かのいずれかに合わせて（最大公約数）製作されており、撮影中に画面サイズを変更した場合に有効な遮光ができないという問題があった。
この考案は、このような問題を解決するためになされたものであり、ビデオカメラに補助レンズを装着して撮影する際に、その補助レンズの前部に遮光キャップを取り付けるだけで、ビデオカメラの撮像素子が１６:９画面用か４:３画面用のいずれであっても、１６：９のワイド画面で撮影する場合も、４：３のノーマル画面で撮影する場合でも、レンズの画角外からの有害光線を確実に遮断することができるようにすることを目的とする。
また、その遮光キャップを所定の取付角度位置で補助レンズに簡単且つ確実に取り付けられるようにすることも目的とする。
【課題を解決するための手段】
【０００６】
この考案によるビデオカメラ用遮光キャップは、ビデオカメラ用補助レンズの前部に着脱可能な遮光キャップであって、上記の目的を達成するため、円筒リング状周壁部と、その前端面に設けられた長方形の開口を有する円形遮光板部とが一体に形成され、その長方形の開口の横と縦の長さの比と大きさが、ビデオカメラで使用される受光部の横と縦の長さの比が１６:９の撮像素子で１６：９画面を撮影するための比と大きさ、該撮像素子で４：３画面を撮影するための比と大きさ、受光部の横と縦の長さの比が４:３の撮像素子で１６：９画面を撮影するための比と大きさ、該撮像素子で４：３画面を撮影するための比と大きさのいずれかであることを特徴とする。
【０００７】
また、この考案によるビデオカメラ用遮光キャップセットは、ビデオカメラ用補助レンズの前部に着脱可能な４種類の遮光キャップからなるビデオカメラ用遮光キャップセットであって、その４種類の遮光キャップが、それぞれ円筒リング状周壁部と、その前端面に設けられた長方形の開口を有する円形遮光板部とが一体に形成されており、上記長方形の開口の横と縦の長さの比と大きさが異なる次の第１〜第４の遮光キャップであることを特徴とする。
すなわち、上記長方形の開口の横と縦の長さの比と大きさが、ビデオカメラで使用される受光部の横と縦の長さの比が１６:９の撮像素子で１６：９画面を撮影するための比と大きさを有する第１の遮光キャップ、該撮像素子で４：３画面を撮影するための比と大きさを有する第２の遮光キャップ、受光部の横と縦の長さの比が４:３の撮像素子で１６：９画面を撮影像するための比と大きさを有する第３の遮光キャップ、および該撮像素子で４：３画面を撮影するための比と大きさを有する第４の遮光キャップである。
【０００８】
上記ビデオカメラ用遮光キャップあるいは遮光キャップセットの各遮光キャップの上記円筒リング状周壁部の内周面に、上記補助レンズの先端側外周面形成されたフランジ部の凹凸面に係合可能な突条からなる回り止め部材と、前記フランジ部を挿通してその後端面に係止爪により係止可能な弾性を有する抜け止め部材とを設けるのが望ましい。
【０００９】
さらに、この考案による遮光キャップ取付構造は、ビデオカメラ用補助レンズの前面に上記ビデオカメラ用遮光キャップを装着するための遮光キャップ取付構造であって、上記補助レンズの先端側外周面に平歯車状の凹凸面を形成したフランジ部を突設し、上記遮光キャップの円筒リング状周壁部の内周面に設けた上記回り止め部材を上記フランジ部の凹凸面に係合可させ、上記抜け止め部材を上記フランジ部を挿通させてその後端面に上記係止爪を係止させるように構成したことを特徴とする。
【考案の効果】
【００１０】
この考案にれば、ビデオカメラに補助レンズを装着して撮影する際に、その補助レンズの前部に、長方形の開口の横と縦の長さの比と大きさが、そのビデオカメラで使用される受光部の横と縦の長さの比と撮影しようとする画面の横と縦の長さの比に対応するビデオカメラ用遮光キャップを選択して取り付けるだけで、レンズの画角外からの有害光線を確実に遮断することができる。
また、この考案による遮光キャップ取付構造によれば、その遮光キャップを所定の取付角度位置で補助レンズに簡単且つ確実に取り付けられる。
【考案を実施するための最良の形態】
【００１１】
以下、この考案を実施するための最良の形態を図面に基づいて説明する。
図１はこの考案によるビデオカメラ用遮光キャップの一実施例を示す正面図、図２はその背面図、図３はその遮光キャップを水平にして示す側面図である。
【００１２】
この図１〜図３に示すビデオカメラ用遮光キャップ２０は、ここでは図示していないビデオカメラ用補助レンズの前部に着脱可能な遮光キャップであり、光軸Ｏを中心とする円筒リング状周壁部２０ｂと、その前端面に設けられた長方形の開口（窓孔）２１を有する円形遮光板部２０ａとが、黒色の樹脂によって一体に形成されている。金属板をプレス加工して一体成形し、黒色に塗装してもよい。
【００１３】
その円形遮光板部２０ａに形成する長方形の開口２１の横ｘと縦ｙの長さの比と大きさは、ビデオカメラで使用される受光部の横と縦の長さの比が１６:９の撮像素子で１６：９画面（ワイド画面）を撮影するための比と大きさ、該撮像素子で４：３画面（ノーマル画面）を撮影するための比と大きさ、受光部の横と縦の長さの比が４:３の撮像素子で１６：９画面を撮影するための比と大きさ、該撮像素子で４：３画面を撮影するための比と大きさのいずれかである。
こ遮光キャップ２０によれば、円形遮光板部２０ａの開口２１以外の部分で、補助レンズの所望の撮影画面に対する画角外からの有害光線を確実に遮断することができる。
【００１４】
また、この遮光キャップ２０を補助レンズの前部に所定の取付角度位置で簡単且つ確実に取り付けられるようにするため、図２、図３に示すように、円筒リング状周壁部２０ｂの内周面に、装着する補助レンズの先端側外周面に形成されたフランジ部の凹凸面（後述する）に係合可能な突条からなる回り止め部材２２と、上記フランジ部を挿通してその後端面に係止爪２４ａにより係止可能な弾性を有する左右一対の抜け止め部材（抜け止め舌片）２４とを設けている。
【００１５】
次に、図４〜図９によって、この考案によるビデオカメラ用遮光キャップセットを構成する第１〜第４の遮光キャップの各開口の横と縦の長さの比と大きさと、撮像素子の受光部の横と縦の長さの比と大きさとの関係について説明する。なお、これらのづにおいて、説明の便宜上、各遮光キャップの開口のサイズと２０に撮像素子の受光部のサイズとを同等の大きさで示しているが、実際にはレンズによる縮小比率によって、撮像素子の受光部のサイズは相当小さくなることは当然である。図４〜図９において図１〜図３と対応する部分には同一の符号を付してあり、それらの説明は省略する、
【００１６】
図４は第１の遮光キャップ２０Ａの正面図であり、その円形遮光板部２０ａに形成した長方形の開口２１は、その横ｘと縦ｙの長さの比と大きさが、ビデオカメラで使用される図６に示すように受光部の横ａと縦ｂの長さの比が１６:９の撮像素子（１６:９画面用撮像素子）３０で１６：９画面を撮影するための比と大きさになっている。すなわち、ｘ：ｙ＝ａ：ｂ＝１６:９であり、１６:９画面用撮像素子３０の受光部はこの遮光キャップ２０Ａによってはその全域が遮光されずに撮影に使用される。
【００１７】
図５は第２の遮光キャップ２０Ｂの正面図であり、その円形遮光板部２０ａに形成した長方形の開口２１は、その横ｘと縦ｙの長さの比と大きさが、ビデオカメラで使用される図６に示す１６:９画面用撮像素子３０で４：３画面を撮影するための比と大きさになっている。この場合はｘ：ｙ＝４：３であるが、ａ：ｂ＝１６:９であるため、ｙはｂに対応する長さであるが、ｘはａに対応する長さより短く、１６:９画面用撮像素子３０の受光部は図６に斜線を施して示す部分が遮光キャップ２０Ｂによって遮光され、残りの領域が４：３画面の撮影に使用される。
【００１８】
図７は第３の遮光キャップ２０Ｃの正面図であり、その円形遮光板部２０ａに形成した長方形の開口２１は、その横ｘと縦ｙの長さの比と大きさが、ビデオカメラで使用される図９に示すように受光部の横ａと縦ｂの長さの比が４:３の撮像素子（４:３画面用撮像素子）４０で１６：９画面を撮影するための比と大きさになっている。この場合は、ｘ：ｙ＝１６:９であるが、ａ：ｂ＝４：３であるため、ｘはａに対応する長さであるが、ｙはｂに対応する長さより短く、４:３画面用撮像素子４０の受光部は図９に斜線を施して示す部分が遮光キャップ２０Ｃによって遮光され、残りの領域が１６:９画面の撮影に使用される。
【００１９】
図８は第４の遮光キャップ２０Ｄの正面図であり、その円形遮光板部２０ａに形成した長方形の開口２１は、その横ｘと縦ｙの長さの比と大きさが、ビデオカメラで使用される図９に示す４:３画面用撮像素子４０で４：３画面を撮影するための比と大きさになっている。この場合はｘ：ｙ＝ａ：ｂ＝４：３であり、４：３画面用撮像素子４０の受光部はこの遮光キャップ２０Ｄによってはその全域が遮光されずに撮影に使用される。
【００２０】
これらの第１〜第４の遮光キャップ２０Ａ，２０Ｂ，２０Ｃ，２０Ｄによって、ビデオカメラ用遮光キャップセットを構成している。
したがって、撮影に使用するビデオカメラの撮像素子の種類（１６:９画面用撮像素子か４:３画面用撮像素子か）と撮影する画面の種類（１６:９画面か４:３画面か）によって、ビデオカメラ用遮光キャップセットの第１〜第４の遮光キャップのいずれか１個を選択して、補助レンズに装着すれば、補助レンズの所望の撮影画面に対する画角外からの有害光線を確実に遮断することができる。
【００２１】
次に、この考案による遮光キャップ取付構造の一実施例を図１０〜図１３によって説明する。図１０は補助レンズに遮光キャップを取り付けた状態の一部断面側面図、図１１は図１０のＡ−Ａ線に沿う一部拡大断面図、図１２は補助レンズの外観を示す側面図、図１３はその一部を拡大して示す正面図である。
【００２２】
この実施例は図示しないビデオカメラの先端部に螺着可能な補助レンズ１０として広角コンバージョンレンズを使用する例を示している。その補助レンズ１０は、図１２に示すように、先端部（図１２で右端部）に大径のフランジ部１１を突設し、フランジ部１１の外周面には、図１３に一部を拡大して示すように、例えばピッチ１ｍｍの凹部１２ａと凸部１２ｂとからなる凹凸面１２を形成し、後端部（図１０で左端部）に図示しないビデオカメラのレンズに形成されたフィルタねじに螺合するねじ部１３を設けている。
【００２３】
一方、補助レンズ１０に装着可能な遮光キャップ２０には前述したように、図１０に示す補助レンズ１０のフランジ部１１の外周面に、円筒リング状周壁部２０ｂが嵌合可能であり、その円筒リング状周壁部２０ｂの内周面には光軸Ｏに平行に内方へ突出して補助レンズ１０の凹凸面１２の凹部１２ａに係合可能な突条からなる回り止め部２２と、フランジ部１１を挿通してその後端面に係止爪２４ａにより係止可能な弾性を有する左右一対の抜け止め部材（抜け止め舌片）２４とを設けている。
【００２４】
このような構成で、補助レンズ１０を図示しないビデオカメラのレンズに装着するには、補助レンズ１０のフランジ部１１を把持して、ねじ部１３をビデオカメラのレンズのフィルタねじに螺着すればよい。このとき、フランジ部１１の外周面に形成した凹凸面１２がすべり止めの役をなして、補助レンズ１０の装着操作はきわめて容易である。
【００２５】
この状態で、遮光キャップ２０の上下方向を画面の上下方向に合わせ、円筒リング状周壁部２０ｂの内周面を補助レンズ１０のフランジ部１１の外周面に被せるように、光軸Ｏに平行に図１０で左方へ移行させ、抜け止め部材２４の係止爪２４ａをフランジ部１１の先端面１１ａに当接させる。これにより、抜け止め部材２４は自己の弾性力に抗して外方へ拡開させる分力が発生し、遮光キャップ２０のさらなる進入が可能になり、円筒リング状周壁部２０ｂの内周面がフランジ部１１の外周面を摺動して同心状に装着される。
【００２６】
このとき、その内周面２１に設けた突条からなる回り止め部２２は補助レンズ１０のフランジ部１１の外周部に形成された凹凸面１２の最上部近傍にある凹部１２ａに係合し、遮光キャップ２０の円周方向の回転が阻止される。
遮光キャップ２０をさらに左方へ挿入すると、図１０に示すように、円形遮光板部２０ａの内面が補助レンズ１０のフランジ部１１の先端面１１ａに当接してその進入が停止すると共に、抜け止め部材２４の係止爪２４ａが図１１に示すようにフランジ部１１の後端部１１ｂに係合し、抜け止め部材２４は自己の弾力性により光軸Ｏの方向へ復帰して、遮光キャップ２０の不用意な脱落が阻止される。
【００２７】
逆に、図１０に示した遮光キャップ装着状態から遮光キャップ２０を取り外すには、遮光キャップ２０の円筒リング状周壁部２０ｂを把持して所定以上の力で右方へ引き抜くだけでよく、これにより係止爪２４ａの斜面が補助レンズ１０のフランジ部１１の後端面１１ｂに摺接し、抜け止め部材２４の自由端部を自己の弾性力に抗して外方へ拡開させる分力が発生て引き抜きが可能になる。
【産業上の利用可能性】
【００２８】
この考案によるビデオカメラ用遮光キャップおよび遮光キャップセットは、各種のビデオカメラに補助レンズを装着して撮影する場合に使用する遮光キャップに適用でき、レンズフードのように嵩張らず、４個の遮光キャップセットでもコンパクトで持ち運びに便利であり、随時最適な遮光キャップを選択して使用できる。
【図面の簡単な説明】
【００２９】
【図１】この考案によるビデオカメラ用遮光キャップの一実施例を示す正面図である。
【図２】同じくその遮光キャップの背面図である。
【図３】同じくその遮光キャップを水平にして示す側面図である。
【図４】この考案によるビデオカメラ用遮光キャップセットを構成する第１の遮光キャップの正面図である。
【図５】同じく第２の遮光キャップの正面図である。
【図６】受光部の横と縦の長さの比が１６:９の撮像素子の受光部とその第２の遮光キャップによる遮光部分を示す模式図である。
【図７】この発明によるビデオカメラ用遮光キャップセットを構成する第３の遮光キャップの正面図である。
【図８】同じく第４の遮光キャップの正面図である。
【図９】受光部の横と縦の長さの比が４:３の撮像素子の受光部とその第３の遮光キャップによる遮光部分を示す模式図である。
【図１０】この考案による遮光キャップ取付構造を示す補助レンズに遮光キャップを取り付けた状態の一部断面側面図である。
【図１１】図１０のＡ−Ａ線に沿う一部拡大断面図である。
【図１２】補助レンズの外観を示す側面図である。
【図１３】同じくその一部を拡大して示す正面図である。
【符号の説明】
【００３０】
１０：コンバージョンレンズ（補助レンズ）    １１：フランジ部    
１２：凹凸面    １３：ねじ部    
２０：ビデオカメラ用遮光キャップ    ２０Ａ：第１の遮光キャップ
２０Ｂ：第２の遮光キャップ    ２０Ｃ：第３の遮光キャップ    
２０Ｄ：第４の遮光キャップ    ２０ａ：円形遮光板部    
２０ｂ：円筒リング状周壁部    ２１：長方形の開口
２２：突条    ２３：    ２４：抜け止め舌片（抜け止め部材）
３０：受光部の横と縦の長さの比が１６:９の撮像素子（１６:９画面用撮像素子）
４０：受光部の横と縦の長さの比が４:３の撮像素子（４:３画面用撮像素子）
Ｏ：光軸
【図１】
0003144010.tif 000003
【図２】
0003144010.tif 000004
【図３】
0003144010.tif 000005
【図４】
0003144010.tif 000006
【図５】
0003144010.tif 000007
【図６】
0003144010.tif 000008
【図７】
0003144010.tif 000009
【図８】
0003144010.tif 000010
【図９】
0003144010.tif 000011
【図１０】
0003144010.tif 000012
【図１１】
0003144010.tif 000013
【図１２】
0003144010.tif 000014
【図１３】
0003144010.tif 000015
【手続補正書】
【提出日】平成20年6月3日(2008.6.3)
【手続補正１】
【補正対象書類名】実用新案登録請求の範囲
【補正対象項目名】全文
【補正方法】変更
【補正の内容】
【実用新案登録請求の範囲】
【請求項１】
ビデオカメラ用補助レンズの前部に着脱可能な遮光キャップであって、
円筒リング状周壁部と、その前端面に設けられた長方形の開口を有する円形遮光板部とが一体に形成され、前記長方形の開口の横と縦の長さの比と大きさが、
ビデオカメラで使用される受光部の横と縦の長さの比が１６：９の撮像素子で１６：９画面を撮影するための比と大きさ、該撮像素子で４：３画面を撮影するための比と大きさ、受光部の横と縦の長さの比が４：３の撮像素子で１６：９画面を撮影するための比と大きさ、該撮像素子で４：３画面を撮影するための比と大きさのいずれかであることを特徴とするビデオカメラ用遮光キャップ。
【請求項２】
前記円筒リング状周壁部の内周面に、前記補助レンズの先端側外周面に形成されたフランジ部の凹凸面に係合可能な突条からなる回り止め部材と、前記フランジ部を挿通してその後端面に係止爪により係止可能な弾性を有する抜け止め部材とを設けたことを特徴とする請求項１に記載のビデオカメラ用遮光キャップ。
【請求項３】
ビデオカメラ用補助レンズの前部に着脱可能な４種類の遮光キャップからなるビデオカメラ用遮光キャップセットであって、
前記４種類の遮光キャップが、それぞれ円筒リング状周壁部と、その前端面に設けられた長方形の開口を有する円形遮光板部とが一体に形成され、前記長方形の開口の横と縦の長さの比と大きさが、
ビデオカメラで使用される受光部の横と縦の長さの比が１６：９の撮像素子で１６：９画面を撮影するための比と大きさを有する第１の遮光キャップ、該撮像素子で４：３画面を撮影するための比と大きさを有する第２の遮光キャップ、受光部の横と縦の長さの比が４：３の撮像素子で１６：９画面を撮影するための比と大きさを有する第３の遮光キャップ、および該撮像素子で４：３画面を撮影するための比と大きさを有する第４の遮光キャップであることを特徴とするビデオカメラ用遮光キャップセット。
【請求項４】
前記各遮光キャップの前記円筒リング状周壁部の内周面に、前記補助レンズの先端側外周面に形成されたフランジ部の凹凸面に係合可能な突条からなる回り止め部材と、前記フランジ部を挿通してその後端面に係止爪により係止可能な弾性を有する抜け止め部材とを設けたことを特徴とする請求項３に記載のビデオカメラ用遮光キャップセット。
【請求項５】
ビデオカメラ用補助レンズの前面に、請求項２に記載のビデオカメラ用遮光キャップを装着するための遮光キャップ取付構造であって、
前記補助レンズの先端側外周面に平歯車状の凹凸面を形成したフランジ部を突設し、
前記遮光キャップの前記円筒リング状周壁部の内周面に設けた前記回り止め部材を前記フランジ部の凹凸面に係合させ、前記抜け止め部材を前記フランジ部を挿通させてその後端面に前記係止爪を係止させるように構成したことを特徴とする遮光キャップ取付構造。
【手続補正２】
【補正対象書類名】明細書
【補正対象項目名】全文
【補正方法】変更
【補正の内容】
【考案の詳細な説明】
【技術分野】
【０００１】
この考案は、ビデオカメラに補助レンズを装着して撮影する際にレンズの画角外からの有害光線を遮断するために、その補助レンズの前部に装着するビデオカメラ用遮光キャップ、およびビデオカメラにおける撮像素子のサイズに係わらずワイドとノーマルの撮影画面に対応できるようにするためのビデオカメラ用遮光キャップセットと、その遮光キャップを補助レンズに取り付けるための遮光キャップ取付構造に関する。
なおこの明細書中で、ビデオカメラとは、デジタルビデオカメラもアナログビデオカメラも含み、動画撮影を主とするビデオカメラも静止画撮影を主とするビデオカメラも含む。また、補助レンズは、望遠レンズ、広角レンズ、近接撮影用（接写）レンズなどを総称し、コンバージョンレンズとも言う。撮像素子は、ＣＣＤ撮像素子やＣＭＯＳ撮像素子など受光面の各部の受光量を電気信号に変換する撮像デバイスである。
【背景技術】
【０００２】
近年は種々のビデオカメラが使用されている。従来の画面の横と縦の長さの比が４：３のノーマル画面で撮影するビデオカメラは受光部の横と縦の長さの比が４：３の撮像素子を使用しており、ハイビジョンテレビ用の画面の横と縦の長さの比が１６：９のワイド画面で撮影するハイビジョン・ビデオカメラは、受光部の横と縦の長さの比が１６:９の撮像素子（１６:９画面用撮像素子という）を使用している。そして、そのハイビジョン・ビデオカメラは一般に、従来の横と縦の長さの比が４：３のノーマル画面で撮影する機能も備えている。また、受光部の横と縦の長さの比が４：３の撮像素子（４：３画面用撮像素子という）を使用しているビデオカメラでも、画面の横と縦の長さの比が１６：９のワイド画面で撮影する機能も備えているものもある。
【０００３】
一方、昨今のＣＣＤ撮像素子やＣＭＯＳ撮像素子を用いたビデオカメラでは、カメラの小形化や生産コストの面からカメラレンズのズーム域に自ら制約があり、特に広角側は前玉の口径が著しく大きくなるため、画角を充分大きくとることができなかった。そのため、カメラレンズのズーム域以外の広角域あるいは望遠域を必要とする場合には、レンズ前面に広角又は望遠等の補助レンズ（コンバージョンレンズ）を装着して、焦点距離を広角側又は望遠側に変換して撮影する必要がある。
【０００４】
このようにビデオカメラに望遠レンズ、広角レンズ、近接撮影用（接写）レンズなどの補助レンズ（コンバージョンレンズ）を装着して撮影する場合、画面にフレアやゴーストを発生させるレンズ画角外からの有害光線を遮光するため、補助レンズの前端部にレンズフードを取り付ける。レンズフードの種類には、その形状によって丸型、角型、花形の３種類がある。
【考案の開示】
【考案が解決しようとする課題】
【０００５】
しかしながら、そのレンズフードは、カメラ側の撮像素子が１６：９画面用か４：３画面用かのいずれかに合わせて（最大公約数）製作されており、撮影中に画面サイズを変更した場合に有効な遮光ができないという問題があった。
この考案は、このような問題を解決するためになされたものであり、ビデオカメラに補助レンズを装着して撮影する際に、その補助レンズの前部に遮光キャップを取り付けるだけで、ビデオカメラの撮像素子が１６：９画面用か４:３画面用のいずれであっても、１６：９のワイド画面で撮影する場合も、４：３のノーマル画面で撮影する場合でも、レンズの画角外からの有害光線を確実に遮断することができるようにすることを目的とする。
また、その遮光キャップを所定の取付角度位置で補助レンズに簡単且つ確実に取り付けられるようにすることも目的とする。
【課題を解決するための手段】
【０００６】
この考案によるビデオカメラ用遮光キャップは、ビデオカメラ用補助レンズの前部に着脱可能な遮光キャップであって、上記の目的を達成するため、円筒リング状周壁部と、その前端面に設けられた長方形の開口を有する円形遮光板部とが一体に形成され、その長方形の開口の横と縦の長さの比と大きさが、ビデオカメラで使用される受光部の横と縦の長さの比が１６：９の撮像素子で１６：９画面を撮影するための比と大きさ、該撮像素子で４：３画面を撮影するための比と大きさ、受光部の横と縦の長さの比が４：３の撮像素子で１６：９画面を撮影するための比と大きさ、該撮像素子で４：３画面を撮影するための比と大きさのいずれかであることを特徴とする。
【０００７】
また、この考案によるビデオカメラ用遮光キャップセットは、ビデオカメラ用補助レンズの前部に着脱可能な４種類の遮光キャップからなるビデオカメラ用遮光キャップセットであって、その４種類の遮光キャップが、それぞれ円筒リング状周壁部と、その前端面に設けられた長方形の開口を有する円形遮光板部とが一体に形成されており、上記長方形の開口の横と縦の長さの比と大きさが異なる次の第１〜第４の遮光キャップであることを特徴とする。
すなわち、上記長方形の開口の横と縦の長さの比と大きさが、ビデオカメラで使用される受光部の横と縦の長さの比が１６：９の撮像素子で１６：９画面を撮影するための比と大きさを有する第１の遮光キャップ、該撮像素子で４：３画面を撮影するための比と大きさを有する第２の遮光キャップ、受光部の横と縦の長さの比が４：３の撮像素子で１６：９画面を撮影像するための比と大きさを有する第３の遮光キャップ、および該撮像素子で４：３画面を撮影するための比と大きさを有する第４の遮光キャップである。
【０００８】
上記ビデオカメラ用遮光キャップあるいは遮光キャップセットの各遮光キャップの上記円筒リング状周壁部の内周面に、上記補助レンズの先端側外周面形成されたフランジ部の凹凸面に係合可能な突条からなる回り止め部材と、前記フランジ部を挿通してその後端面に係止爪により係止可能な弾性を有する抜け止め部材とを設けるのが望ましい。
【０００９】
さらに、この考案による遮光キャップ取付構造は、ビデオカメラ用補助レンズの前面に上記ビデオカメラ用遮光キャップを装着するための遮光キャップ取付構造であって、上記補助レンズの先端側外周面に平歯車状の凹凸面を形成したフランジ部を突設し、上記遮光キャップの円筒リング状周壁部の内周面に設けた上記回り止め部材を上記フランジ部の凹凸面に係合させ、上記抜け止め部材を上記フランジ部を挿通させてその後端面に上記係止爪を係止させるように構成したことを特徴とする。
【考案の効果】
【００１０】
この考案にれば、ビデオカメラに補助レンズを装着して撮影する際に、その補助レンズの前部に、長方形の開口の横と縦の長さの比と大きさが、そのビデオカメラで使用される受光部の横と縦の長さの比と撮影しようとする画面の横と縦の長さの比に対応するビデオカメラ用遮光キャップを選択して取り付けるだけで、レンズの画角外からの有害光線を確実に遮断することができる。
また、この考案による遮光キャップ取付構造によれば、その遮光キャップを所定の取付角度位置で補助レンズに簡単且つ確実に取り付けられる。
【考案を実施するための最良の形態】
【００１１】
以下、この考案を実施するための最良の形態を図面に基づいて説明する。
図１はこの考案によるビデオカメラ用遮光キャップの一実施例を示す正面図、図２はその背面図、図３はその遮光キャップを水平にして示す側面図である。
【００１２】
この図１〜図３に示すビデオカメラ用遮光キャップ２０は、ここでは図示していないビデオカメラ用補助レンズの前部に着脱可能な遮光キャップであり、光軸Ｏを中心とする円筒リング状周壁部２０ｂと、その前端面に設けられた長方形の開口（窓孔）２１を有する円形遮光板部２０ａとが、黒色の樹脂によって一体に形成されている。金属板をプレス加工して一体成形し、黒色に塗装してもよい。
【００１３】
その円形遮光板部２０ａに形成する長方形の開口２１の横ｘと縦ｙの長さの比と大きさは、ビデオカメラで使用される受光部の横と縦の長さの比が１６:９の撮像素子で１６：９画面（ワイド画面）を撮影するための比と大きさ、該撮像素子で４：３画面（ノーマル画面）を撮影するための比と大きさ、受光部の横と縦の長さの比が４:３の撮像素子で１６：９画面を撮影するための比と大きさ、該撮像素子で４：３画面を撮影するための比と大きさのいずれかである。
この遮光キャップ２０によれば、円形遮光板部２０ａの開口２１以外の部分で、補助レンズの所望の撮影画面に対する画角外からの有害光線を確実に遮断することができる。
【００１４】
また、この遮光キャップ２０を補助レンズの前部に所定の取付角度位置で簡単且つ確実に取り付けられるようにするため、図２、図３に示すように、円筒リング状周壁部２０ｂの内周面に、装着する補助レンズの先端側外周面に形成されたフランジ部の凹凸面（後述する）に係合可能な突条からなる回り止め部材２２と、上記フランジ部を挿通してその後端面に係止爪２４ａにより係止可能な弾性を有する左右一対の抜け止め部材（抜け止め舌片）２４とを設けている。
【００１５】
次に、図４〜図９によって、この考案によるビデオカメラ用遮光キャップセットを構成する第１〜第４の遮光キャップの各開口の横と縦の長さの比と大きさと、撮像素子の受光部の横と縦の長さの比と大きさとの関係について説明する。なお、これらのづにおいて、説明の便宜上、各遮光キャップの開口のサイズと撮像素子の受光部のサイズとを同等の大きさで示しているが、実際にはレンズによる縮小比率によって、撮像素子の受光部のサイズは相当小さくなることは当然である。図４〜図９において図１〜図３と対応する部分には同一の符号を付してあり、それらの説明は省略する。
【００１６】
図４は第１の遮光キャップ２０Ａの正面図であり、その円形遮光板部２０ａに形成した長方形の開口２１は、その横ｘと縦ｙの長さの比と大きさが、ビデオカメラで使用される図６に示すように受光部の横ａと縦ｂの長さの比が１６：９の撮像素子（１６：９画面用撮像素子）３０で１６：９画面を撮影するための比と大きさになっている。すなわち、ｘ：ｙ＝ａ：ｂ＝１６：９であり、１６:９画面用撮像素子３０の受光部はこの遮光キャップ２０Ａによってはその全域が遮光されずに撮影に使用される。
【００１７】
図５は第２の遮光キャップ２０Ｂの正面図であり、その円形遮光板部２０ａに形成した長方形の開口２１は、その横ｘと縦ｙの長さの比と大きさが、ビデオカメラで使用される図６に示す１６:９画面用撮像素子３０で４：３画面を撮影するための比と大きさになっている。この場合はｘ：ｙ＝４：３であるが、ａ：ｂ＝１６：９であるため、ｙはｂに対応する長さであるが、ｘはａに対応する長さより短く、１６：９画面用撮像素子３０の受光部は図６に斜線を施して示す部分が遮光キャップ２０Ｂによって遮光され、残りの領域が４：３画面の撮影に使用される。
【００１８】
図７は第３の遮光キャップ２０Ｃの正面図であり、その円形遮光板部２０ａに形成した長方形の開口２１は、その横ｘと縦ｙの長さの比と大きさが、ビデオカメラで使用される図９に示すように受光部の横ａと縦ｂの長さの比が４:３の撮像素子（４：３画面用撮像素子）４０で１６：９画面を撮影するための比と大きさになっている。この場合は、ｘ：ｙ＝１６：９であるが、ａ：ｂ＝４：３であるため、ｘはａに対応する長さであるが、ｙはｂに対応する長さより短く、４：３画面用撮像素子４０の受光部は図９に斜線を施して示す部分が遮光キャップ２０Ｃによって遮光され、残りの領域が１６：９画面の撮影に使用される。
【００１９】
図８は第４の遮光キャップ２０Ｄの正面図であり、その円形遮光板部２０ａに形成した長方形の開口２１は、その横ｘと縦ｙの長さの比と大きさが、ビデオカメラで使用される図９に示す４：３画面用撮像素子４０で４：３画面を撮影するための比と大きさになっている。この場合はｘ：ｙ＝ａ：ｂ＝４：３であり、４：３画面用撮像素子４０の受光部はこの遮光キャップ２０Ｄによってはその全域が遮光されずに撮影に使用される。
【００２０】
これらの第１〜第４の遮光キャップ２０Ａ，２０Ｂ，２０Ｃ，２０Ｄによって、ビデオカメラ用遮光キャップセットを構成している。
したがって、撮影に使用するビデオカメラの撮像素子の種類（１６:９画面用撮像素子か４：３画面用撮像素子か）と撮影する画面の種類（１６：９画面か４：３画面か）によって、ビデオカメラ用遮光キャップセットの第１〜第４の遮光キャップのいずれか１個を選択して、補助レンズに装着すれば、補助レンズの所望の撮影画面に対する画角外からの有害光線を確実に遮断することができる。
【００２１】
次に、この考案による遮光キャップ取付構造の一実施例を図１０〜図１３によって説明する。図１０は補助レンズに遮光キャップを取り付けた状態の一部断面側面図、図１１は図１０のＡ−Ａ線に沿う一部拡大断面図、図１２は補助レンズの外観を示す側面図、図１３はその一部を拡大して示す正面図である。
【００２２】
この実施例は図示しないビデオカメラの先端部に螺着可能な補助レンズ１０として広角コンバージョンレンズを使用する例を示している。その補助レンズ１０は、図１２に示すように、先端部（図１２で右端部）に大径のフランジ部１１を突設し、フランジ部１１の外周面には、図１３に一部を拡大して示すように、例えばピッチ１ｍｍの凹部１２ａと凸部１２ｂとからなる凹凸面１２を形成し、後端部（図１０で左端部）に図示しないビデオカメラのレンズに形成されたフィルタねじに螺合するねじ部１３を設けている。
【００２３】
一方、補助レンズ１０に装着可能な遮光キャップ２０には前述したように、図１０に示す補助レンズ１０のフランジ部１１の外周面に、円筒リング状周壁部２０ｂが嵌合可能であり、その円筒リング状周壁部２０ｂの内周面には光軸Ｏに平行に内方へ突出して補助レンズ１０の凹凸面１２の凹部１２ａに係合可能な突条からなる回り止め部２２と、フランジ部１１を挿通してその後端面に係止爪２４ａにより係止可能な弾性を有する左右一対の抜け止め部材（抜け止め舌片）２４とを設けている。
【００２４】
このような構成で、補助レンズ１０を図示しないビデオカメラのレンズに装着するには、補助レンズ１０のフランジ部１１を把持して、ねじ部１３をビデオカメラのレンズのフィルタねじに螺着すればよい。このとき、フランジ部１１の外周面に形成した凹凸面１２がすべり止めの役をなして、補助レンズ１０の装着操作はきわめて容易である。
【００２５】
この状態で、遮光キャップ２０の上下方向を画面の上下方向に合わせ、円筒リング状周壁部２０ｂの内周面を補助レンズ１０のフランジ部１１の外周面に被せるように、光軸Ｏに平行に図１０で左方へ移行させ、抜け止め部材２４の係止爪２４ａをフランジ部１１の先端面１１ａに当接させる。これにより、抜け止め部材２４は自己の弾性力に抗して外方へ拡開させる分力が発生し、遮光キャップ２０のさらなる進入が可能になり、円筒リング状周壁部２０ｂの内周面がフランジ部１１の外周面を摺動して同心状に装着される。
【００２６】
このとき、その内周面２１に設けた突条からなる回り止め部２２は補助レンズ１０のフランジ部１１の外周部に形成された凹凸面１２の最上部近傍にある凹部１２ａに係合し、遮光キャップ２０の円周方向の回転が阻止される。
遮光キャップ２０をさらに左方へ挿入すると、図１０に示すように、円形遮光板部２０ａの内面が補助レンズ１０のフランジ部１１の先端面１１ａに当接してその進入が停止すると共に、抜け止め部材２４の係止爪２４ａが図１１に示すようにフランジ部１１の後端部１１ｂに係合し、抜け止め部材２４は自己の弾力性により光軸Ｏの方向へ復帰して、遮光キャップ２０の不用意な脱落が阻止される。
【００２７】
逆に、図１０に示した遮光キャップ装着状態から遮光キャップ２０を取り外すには、遮光キャップ２０の円筒リング状周壁部２０ｂを把持して所定以上の力で右方へ引き抜くだけでよく、これにより係止爪２４ａの斜面が補助レンズ１０のフランジ部１１の後端面１１ｂに摺接し、抜け止め部材２４の自由端部を自己の弾性力に抗して外方へ拡開させる分力が発生て引き抜きが可能になる。
【産業上の利用可能性】
【００２８】
この考案によるビデオカメラ用遮光キャップおよび遮光キャップセットは、各種のビデオカメラに補助レンズを装着して撮影する場合に使用する遮光キャップに適用でき、レンズフードのように嵩張らず、４個の遮光キャップセットでもコンパクトで持ち運びに便利であり、随時最適な遮光キャップを選択して使用できる。
【図面の簡単な説明】
【００２９】
【図１】この考案によるビデオカメラ用遮光キャップの一実施例を示す正面図である。
【図２】同じくその遮光キャップの背面図である。
【図３】同じくその遮光キャップを水平にして示す側面図である。
【図４】この考案によるビデオカメラ用遮光キャップセットを構成する第１の遮光キャップの正面図である。
【図５】同じく第２の遮光キャップの正面図である。
【図６】受光部の横と縦の長さの比が１６:９の撮像素子の受光部とその第２の遮光キャップによる遮光部分を示す模式図である。
【図７】この考案によるビデオカメラ用遮光キャップセットを構成する第３の遮光キャップの正面図である。
【図８】同じく第４の遮光キャップの正面図である。
【図９】受光部の横と縦の長さの比が４:３の撮像素子の受光部とその第３の遮光キャップによる遮光部分を示す模式図である。
【図１０】この考案による遮光キャップ取付構造を示す補助レンズに遮光キャップを取り付けた状態の一部断面側面図である。
【図１１】図１０のＡ−Ａ線に沿う一部拡大断面図である。
【図１２】補助レンズの外観を示す側面図である。
【図１３】同じくその一部を拡大して示す正面図である。
【符号の説明】
【００３０】
１０：コンバージョンレンズ（補助レンズ）    １１：フランジ部    
１２：凹凸面    １３：ねじ部    
２０：ビデオカメラ用遮光キャップ    ２０Ａ：第１の遮光キャップ
２０Ｂ：第２の遮光キャップ    ２０Ｃ：第３の遮光キャップ    
２０Ｄ：第４の遮光キャップ    ２０ａ：円形遮光板部    
２０ｂ：円筒リング状周壁部    ２１：長方形の開口
２２：突条    ２３：    ２４：抜け止め舌片（抜け止め部材）
３０：受光部の横と縦の長さの比が１６:９の撮像素子（１６:９画面用撮像素子）
４０：受光部の横と縦の長さの比が４:３の撮像素子（４:３画面用撮像素子）
Ｏ：光軸